(57)【要約】【課題】粕滞留式のジューサーにおいて、フィルター筒のスリット部分の掃除を容易にすることを目的とする。【解決手段】フィルター筒１はスリット２となる間隔をおいて円周状に多数連結されたくし歯３と、フィルター筒１の頭部に設けた天板４から構成され、くし歯３には上端部と下端部と中間部にそれぞれ関節部５が設けてあり、各くし歯３がこれら関節部５を基点として外周方向に屈曲変形、すなわちフィルター筒が提灯状に変形できるようにしてある。これによって、ジュースを絞り終わった後、粕の溜まったフィルター筒１を取り出し、フィルター筒１の頭部を押すと、フィルター筒１は提灯状に変形して粕がくし歯３から離れやすくなり、また隣接するくし歯３の間隔が広がりスリット幅が広くなることから、フィルター筒の掃除をしやすくすることができる。【選択図】図４
2005124967.tif 000002
【特許請求の範囲】
【請求項１】
電動機を内蔵した本体と、前記電動機により回転駆動される遠心式の分離籠とを備え、前記分離籠は被調理物を摩り下ろすカッター及び摩り下ろされた前記被調理物をジュースと粕に分離するためのフィルター筒を有し、前記フィルター筒は、頭部に天板を設け、変形可能な材料から作られた多数のくし歯をスリットとなる間隔をおいて円筒状に連結して構成するとともに、外力により前記くし歯が外周方向に変形し、スリットが拡開するようにしたジューサー。
【請求項２】
少なくともフィルター筒のくし歯を弾性を有する材料で構成した請求項１記載のジューサー。
【請求項３】
くし歯の途中に肉薄の関節部を設けた請求項２記載のジューサー。
【請求項４】
関節部を複数設けた請求項３記載のジューサー。
【請求項５】
電動機を内蔵した本体と、前記電動機により回転駆動される遠心式の分離籠とを備え、前記分離籠は被調理物を摩り下ろすカッター及び摩り下ろされた前記被調理物をジュースと粕に分離するためのフィルター筒を有し、前記フィルター筒は、頭部に天板を設け、下方が自由端に設定してある多数のくし歯をスリットとなる間隔をおいて円筒状に連結して構成するとともに、これらくし歯の上端に枢支部を設け、前記枢支部を基点にくし歯を外周方向に変位させることで各スリット幅を広げるようにしたジューサー。
【請求項６】
各くし歯の上部を軸によりフィルター筒を構成する連結筒に変位自在に支持して枢支部とし、前記枢支部と所定間隔をおいて前記各くし歯に操作部を設けて、天板を上下動自在として前記操作部に連係させることで前記各くし歯を外周に変位させた請求項５記載のジューサー。
【請求項７】
天板に折り畳み自在の操作用取っ手を設けた請求項６記載のジューサー。
【請求項８】
各くし歯を弾性を有する材料で形成するとともに、前記各くし歯の上部を肉薄のヒンジを介してフィルター筒を構成する連結筒に連結した請求項５記載のジューサー。
【請求項９】
フィルター筒を弾性を有する材料で一体に構成し、前記フィルター筒のくし歯の上端外周部を肉薄の第１のヒンジを介してフィルター筒を構成する連結筒に連結し、さらに前記第１のヒンジの内周側を肉薄の第２のヒンジを介して天板に連結した請求項５記載のジューサー。
【発明の詳細な説明】
【技術分野】
【０００１】
本発明は、フィルター筒から容易に粕を除去できるジューサーに関するものである。
【背景技術】
【０００２】
従来、この種のジューサーは図１４〜図１６に示すように、カッター３１を備えた遠心式の分離籠３２を電動機３３により回転させ、投入された材料をカッター３１で摩り下ろして分離籠３２内に着脱自在に取り付けた多数のスリット３４を有するフィルター筒３５に飛散させ、ここでジュースと粕に分離していた。フィルター筒３５は粕を留めるための天板３６と、多数のくし歯３７を並べてスリット３４を形成した筒状の部分で構成されていた（例えば、特許文献１参照）。
【特許文献１】特開２００１−３４６６７５号公報
【発明の開示】
【発明が解決しようとする課題】
【０００３】
しかしながら、上記従来の構成のフィルター筒は、くし歯をこすり洗いし、粕を振り落としてもスリットの部分に細かな粕が残りやすく、スリットの掃除がしにくいという課題を有していた。
【０００４】
本発明は、このような従来の課題を解決したもので、スリットの掃除が容易に行えるフィルター筒を有するジューサーを提供することを目的とする。
【課題を解決するための手段】
【０００５】
本発明は、上記目的を達成するために、フィルター筒を構成する円周状に連結された多数のくし歯を変形可能又は変位可能に構成したものである。
【０００６】
これによって、ジュースを絞り終わって粕の溜まったフィルター筒を取り出し、フィルター筒のくし歯を変形又は変位させることによって、隣接するくし歯の間隔が広がりスリット幅が広くなることで、掃除がしやすくなる。
【発明の効果】
【０００７】
本発明のジューサーは、フィルター筒を構成する円周状に連結された多数のくし歯を変形可能又は変位可能に構成することにより、掃除をする際にくし歯間のスリット幅を広げることができ、掃除がしやすくなる。
【発明を実施するための最良の形態】
【０００８】
本発明の実施の形態は、フィルター筒の頭部に天板を設け、変形可能な材料から作られた多数のくし歯をスリットとなる間隔をおいて円筒状に連結して構成するとともに、外力によりこれらくし歯が変形し、スリット幅が拡開するようにしたものである。
【０００９】
そのため、フィルター筒の頭部を押すとフィルター筒は提灯状に変形し、粕がくし歯から離れやすくなるとともにスリット幅が広くなり、掃除をしやすくすることができる。
【００１０】
そして、フィルター筒は、少なくともくし歯を弾性を有する材料で構成することで、より提灯状に変形しやすくなる。
【００１１】
さらに、これらくし歯の途中に肉薄の関節部を設けると、フィルター筒はさらに提灯状に変形しやすくなる。
【００１２】
また、これらくし歯に関節部を複数設けると、粕をくし歯から離れやすくなるとともにスリット幅が広がる効果をさらに高めることができ、掃除をよりしやすくすることができる。
【００１３】
また、フィルター筒は上記のようなくし歯の変形ではなく、下方が自由端に設定してある多数のくし歯をスリットとなる間隔をおいて円筒状に連結して構成するとともに、これらくし歯の上端に枢支部を設け、前記枢支部を基点にくし歯を外周方向に変位させることで各スリット幅を広げるように構成することによっても、掃除をしやすくすることができる。
【００１４】
また、各くし歯の上部を軸によりフィルター筒を構成する連結筒に変位自在に支持して枢支部とし、枢支部と所定間隔をおいて各くし歯に操作部を設けて、天板を上下動自在として操作部に連係させるように構成すると、くし歯を外周方向に変位しやすくなるだけでなく、天板を押すと全てのくし歯を一括して広げることができるるため、フィルター筒の掃除がしやすくなる。
【００１５】
さらに、フィルター筒は、天板の中央に折り畳み自在の操作用取っ手を設けることで、掃除でフィルター筒を取り出す時に取っ手があると持ちやすくなるとともに、取っ手をつまんで天板を押すことができるため、フィルター筒の扱いが容易になる。
【００１６】
さらに、各くし歯を弾性を有する材料で形成するとともに、それらの上部を肉薄のヒンジを介してフィルター筒を構成する連結筒に連結することも考えられる。
【００１７】
また、フィルター筒を弾性を有する材料で一体に構成し、フィルター筒のくし歯の上端外周部を肉薄の第１のヒンジを介してフィルター筒を構成する連結筒に連結し、さらに前記第１のヒンジの内周側を肉薄の第２のヒンジを介して天板に連結することもできる。
【実施例】
【００１８】
以下その実施例を添付図面を参照して説明する。
【００１９】
（実施例１）
本実施例のジューサーの基本的な構成は従来例で示した図１４に示すものと実質的に同じであり、ここでの説明は省略し、発明の特徴であるフィルター筒について説明する。
【００２０】
図１〜図４において、フィルター筒１はスリット２となる間隔をおいて円周状に多数連結されたくし歯３と、フィルター筒１の頭部に設けた天板４から構成されている。
【００２１】
くし歯３には上端部と下端部と中間部にそれぞれ関節部５が設けてあり、各くし歯３がこれら関節部５を基点として外周方向に屈曲変形、すなわちフィルター筒が提灯状に変形できるようにしてある。また、フィルター筒１はくし歯３、天板４ともに弾性を有する材料を有する材料、例えばポリプロピレンなどの合成樹脂で一体に構成されている。
【００２２】
被調理物をカッターで摩り下ろすと遠心力により、フィルター筒１に設けた多数のスリット２からジュースが分離されて出ていき、フィルター筒１内には粕が残る。この時、天板４は粕が上から逃げないように止める働きをしている。
【００２３】
本実施例１においては、被調理物からジュースを絞り終わって粕の溜まったフィルター筒１を取り出し、フィルター筒１の頭部を圧迫すると、図３、図４に示すようにフィルター筒１は提灯状に変形する。その結果、くし歯３の変形によって粕がくし歯３から離れやすくなり、また隣接するくし歯３の間隔が広がりスリット幅が広くなることによって、スリット２の部分に残った細かな粕を取り易くなるため、掃除がしやすくなる。
【００２４】
（実施例２）
図５〜図７において、フィルター筒６は、下方を自由端に設定した多数のくし歯７をスリット８となる間隔をおいて円筒状に連結したものである。ここで、くし歯７は上部がＬ字状の形状をしており、折り曲がり部分に枢支部９を、折り曲がり部分の内週方向の先端に操作部１０を設けている。
【００２５】
枢支部９はくし歯７と連結筒１１を軸１２で支持しているため、くし歯７は枢支部９を支点として変位することができる。操作部１０はくし歯７のＬ字状の折り曲がり部分の内週方向の先端部に設けた長穴１３とこの長穴１３にはまり合う天板１４に設けたピン１５によって構成されている。
【００２６】
このような構成にすることにより、天板１４を下方に押すと、天板１４に設けたピン１５が長穴１３内を移動し、くし歯７は枢支部９を支点として自由端の下端部が外周方向に突出するように変位し、この動作によって各くし歯７のスリット８が大きく広げられる。
【００２７】
そのため、被調理物からジュースを絞り終わって粕の溜まったフィルター筒６を取り出し、天板１４を押すと全てのくし歯７を一括して外周方向に変位させることができる。その結果、全ての隣接するくし歯７の間隔が広がりスリット幅が広くなることによって、スリット８の部分に残った細かな粕を取り易くなるため、掃除がしやすくなる。
【００２８】
（実施例３）
図８、図９においては、フィルター筒６に設けられた天板１４上の真ん中に枢軸部１６を支点として起こしたり倒したりできるような折り畳み自在の取っ手１７を設けた構成としたものである。その他の構成は第２の実施例と同じであり、その説明は省略する。
【００２９】
本実施例３においては、掃除でフィルター筒６を取り出す時に取っ手１７があると持ちやすくなるとともに、取っ手１７をつまんで天板１４を押すことができるため、容易にくし歯７を一括して広げることができる。その結果、フィルター筒６の扱いが容易になり、掃除がしやすくなる。
【００３０】
（実施例４）
図１０、図１１において、フィルター筒１８は、くし歯１９上部の折り曲がり部分２０と天板２１の外周に取り付けられた連結筒２２を肉薄のヒンジ２３を介して一体の弾性を有する材料、例えばポリプロピレンなどの合成樹脂で連結するとともに、くし歯１９の折り曲がり部分２０に天板２１の下端部が乗るように構成してある。
【００３１】
天板２１を押すとくし歯の折り曲がり部分２０に力が加わるため、全てのくし歯１９を一括して外周方向に変位させることができる。その結果、スリット幅が容易に広がり、スリットの部分に残った細かな粕を取り易くなるため、フィルター筒の掃除がしやすくなる。
【００３２】
本実施例４においては、ヒンジ機構を複数の部材で構成するよりも安価に制作することができる。
【００３３】
（実施例５）
図１２、図１３において、フィルター筒２４は、弾性を有する材料、例えばポリプロピレンなどの合成樹脂で一体に構成されており、くし歯２５の上端外周部を肉薄の第１のヒンジ２６を介して連結筒２７に連結し、さらに第１のヒンジ２６の内周側を肉薄の第２のヒンジ２８を介して天板２９に連結している。
【００３４】
天板２９を押すと第２のヒンジ２８に力が加わるため、第１のヒンジ２６を支点として全てのくし歯２５を一括して外周方向に変位させることができる。スリット幅が容易に広がり、スリットの部分に残った細かな粕を取り易くなるため、スリットの掃除がしやすくなる。
【００３５】
本実施例５においては、第１のヒンジ２６及び第２のヒンジ２８をそれぞれ複数の部材で構成するよりも安価に制作することができる。
【産業上の利用可能性】
【００３６】
以上のように本発明に関わるジューサーは、フィルター筒のスリットの掃除が容易となり粕滞留式のジューサーや遠心分離器などへの利用が可能である。
【図面の簡単な説明】
【００３７】
【図１】本発明の実施例１を示すフィルター筒の平面図
【図２】同実施例１を示すフィルター筒の縦断面図
【図３】同実施例１を示すフィルター筒の変形状態の平面図
【図４】同実施例１を示すフィルター筒の変形状態の側面図
【図５】同実施例２を示すフィルター筒の部分正面図
【図６】同実施例２を示すフィルター筒の要部縦断面図
【図７】同実施例２を示すフィルター筒の変位状態の要部縦断面図
【図８】同実施例３を示すフィルター筒の要部縦断面図
【図９】同実施例３を示すフィルター筒の変位状態の要部縦断面図
【図１０】同実施例４を示すフィルター筒の要部縦断面図
【図１１】同実施例４を示すフィルター筒の変位状態の要部縦断面図
【図１２】同実施例５を示すフィルター筒の要部縦断面図
【図１３】同実施例５を示すフィルター筒の変位状態の要部縦断面図
【図１４】従来のジューサーの縦断面図
【図１５】従来のジューサーのフィルター筒の縦断面図
【図１６】従来のジューサーのフィルター筒の裏面図
【符号の説明】
【００３８】
１、６、１８、２４  フィルター筒
２、８  スリット
３、７、１９、２５  くし歯
４、１４  天板
５  関節部
９  枢支部
１０  操作部
１２  軸
１７  取っ手
２２、２７  連結管
２３  ヒンジ
２６  第１のヒンジ
２８  第２のヒンジ
【図１】
2005124967.tif 000003
【図２】
2005124967.tif 000004
【図３】
2005124967.tif 000005
【図４】
2005124967.tif 000006
【図５】
2005124967.tif 000007
【図６】
2005124967.tif 000008
【図７】
2005124967.tif 000009
【図８】
2005124967.tif 000010
【図９】
2005124967.tif 000011
【図１０】
2005124967.tif 000012
【図１１】
2005124967.tif 000013
【図１２】
2005124967.tif 000014
【図１３】
2005124967.tif 000015
【図１４】
2005124967.tif 000016
【図１５】
2005124967.tif 000017
【図１６】
2005124967.tif 000018